(57)【要約】      （修正有）【課題】使用者の身体的な特徴に合致したソール部材、当該ソール部材を備えた履物、靴下、ストッキング、タイツ、ソール部材の傾斜角度決定装置、及びソール部材の傾斜角度決定方法を提供する。【解決手段】左右の足を回転部材に載せた状態で回転部材を中心線に対して外旋回及び内旋回させて外旋回角度及び内旋回角度を旋回角度検出手段により検出し、外旋回角度及び内旋回角度に基づいて左右の足の中心線に対する中心角度を制御手段によりそれぞれ算出し、左右の足の中心線に対する中心角度に基づいて表面の傾斜角度を制御手段により算出したソール部材である。【選択図】図１７
2013247978.tif 000002
【特許請求の範囲】
【請求項１】
左右の足を回転部材に載せた状態で前記回転部材を中心線に対して外旋回及び内旋回させて外旋回角度及び内旋回角度を旋回角度検出手段により検出し、前記外旋回角度及び前記内旋回角度に基づいて左右の足の前記中心線に対する中心角度を制御手段によりそれぞれ算出し、前記左右の足の前記中心線に対する中心角度に基づいて表面の傾斜角度を制御手段により算出したことを特徴とするソール部材。
【請求項２】
前記傾斜角度の高低を示す印部を設けたことを特徴とする請求項１に記載のソール部材。
【請求項３】
前記印部は穴部で構成されたことを特徴とする請求項２に記載のソール部材。
【請求項４】
請求項１乃至３のいずれか１項に記載のソール部材を有することを特徴とする履物。
【請求項５】
請求項１乃至３のいずれか１項に記載のソール部材を有することを特徴とする靴下。
【請求項６】
請求項１乃至３のいずれか１項に記載のソール部材を有することを特徴とするストッキング。
【請求項７】
請求項１乃至３のいずれか１項に記載のソール部材を有することを特徴とするタイツ。
【請求項８】
ソール部材の表面の傾斜角度を決定するためのソール部材の傾斜角度決定装置であって、
旋回可能に設けられ、左右の足を載せて外旋回及び内旋回させる回転部材と、
前記回転部材の外旋回角度及び内旋回角度を検出する旋回角度検出手段と、
左右の足を前記回転部材に載せた状態で前記回転部材を中心線に対して前記外旋回及び前記内旋回させて検出した前記外旋回角度及び前記内旋回角度に基づいて左右の足の前記中心線に対する中心角度をそれぞれ算出し、当該算出した左右の足の前記中心角度に基づいて前記ソール部材の表面の傾斜角度を算出する制御手段と、
を有することを特徴とするソール部材の傾斜角度決定装置。
【請求項９】
ソール部材の表面の傾斜角度を決定するためのソール部材の傾斜角度決定方法であって、
左右の足を回転部材に載せた状態で回転部材を中心線に対して外旋回及び内旋回させることにより外旋回角度及び内旋回角度を旋回角度検出手段により検出する旋回角度検出工程と、
前記旋回角度検出工程で検出された前記外旋回角度及び前記内旋回角度に基づいて左右の足の前記中心線に対する中心角度を制御手段により算出する中心角度算出工程と、
前記中心角度算出工程で算出された左右の足の前記中心角度に基づいて前記ソール部材の表面の傾斜角度を制御手段により算出する傾斜角度算出工程と、
を有することを特徴とするソール部材の傾斜角度決定方法。
【発明の詳細な説明】
【技術分野】
【０００１】
本発明は、各個人の身体特徴（身体特性又は身体機能など）に合致した最適なソール部材、及び当該ソール部材を備えた履物、靴下、ストッキング、タイツに関する。
【０００２】
また、本発明は、各個人の身体特徴（身体特性又は身体機能など）に合致した最適なソール部材の表面の傾斜角度を決定するためのソール部材の傾斜角度決定装置、及びソール部材の傾斜角度決定方法に関する。
【背景技術】
【０００３】
従来から使用されているソール部材は、例えば、厚み寸法や傾斜角度などが予め決められており、使用者の身体特徴を考慮することなく、使用されていた。従来のソール部材は、履き心地（足と靴とのフィット感）を重視する設計になっていた。
【０００４】
ここで、ソール部材を使用することにより、例えば、歩行時の姿勢の矯正、足裏のアーチ部分の強化や適正なアーチの形成、歩行やランニング時において足裏に作用する衝撃力の吸収や緩和、かかと部分のずれの矯正などの効果があると言われている。
【０００５】
さらには、ゴルフ等のスポーツに適した特殊なソール部材までが提案されている（下記特許文献１参照）。
【先行技術文献】
【特許文献】
【０００６】
【特許文献１】特開２００８−２２０７９５号公報
【特許文献２】特開２０１１−１７２６２２号公報
【発明の概要】
【発明が解決しようとする課題】
【０００７】
ところで、使用者の身体特徴と合致しない従来のソール部材を使用することにより、上記効果が得られないばかりか、かえって身体に種々の負担が生じるなどの問題があった。
【０００８】
具体的には、主として、以下の（１）〜（４）の問題が生じていた。
（１）歩行の際の着地時に、足に作用する力が足の外側（直進方向に対して傾斜又は直交する方向）に向くため、靴の中で足が滑ることがある。これにより、靴ずれの原因になることがある。
（２）着地時の衝撃力が身体の中心に作用せず、膝などに作用して、膝の負担が増大する。
（３）靴底に片べりが生じて、歩行の際の着地時に、足に作用する力が足の外側（直進方向に対して傾斜又は直交する方向）に向き易くなるため、足の筋肉に大きな負担が生じる。
（４）ソール部材の表面の傾斜角度が使用者の歩行時の接地角度（直進方向からの開き角度）に合致していないので、足裏のこりや疲労が蓄積する。
【０００９】
そこで、本発明は、上記問題点を解決するため、使用者の身体的な特徴（例えば、体格、体質、関節部位の可動範囲などの骨格の特性）に合致した最適なソール部材、当該ソール部材を備えた履物、靴下、ストッキング、タイツを提供することを目的とする。
【００１０】
また、本発明は、上記問題点を解決するため、使用者の身体的な特徴（例えば、体格、体質、関節部位の可動範囲などの骨格の特性）に合致した最適なソール部材の表面の傾斜角度を決定するためのソール部材の傾斜角度決定装置、及びソール部材の傾斜角度決定方法を提供することを目的とする。
【課題を解決するための手段】
【００１１】
第１発明は、左右の足を回転部材に載せた状態で前記回転部材を中心線に対して外旋回及び内旋回させて外旋回角度及び内旋回角度を旋回角度検出手段により検出し、前記外旋回角度及び前記内旋回角度に基づいて左右の足の前記中心線に対する中心角度を制御手段によりそれぞれ算出し、前記左右の足の前記中心線に対する中心角度に基づいて表面の傾斜角度を制御手段により算出したことを特徴とするソール部材である。
【００１２】
第２発明は、前記傾斜角度の高低を示す印部を設けたソール部材であることが好ましい。
【００１３】
第３発明は、前記印部は穴部で構成されたソール部材であることが好ましい。
【００１４】
第４発明は、本発明のソール部材を有する履物であることを特徴とする。
【００１５】
第５発明は、請求項１乃至３のいずれか１項に記載のソール部材を有する靴下であることを特徴とする。
【００１６】
第６発明は、請求項１乃至３のいずれか１項に記載のソール部材を有するストッキングであることを特徴とする。
【００１７】
第７発明は、請求項１乃至３のいずれか１項に記載のソール部材を有するタイツであることを特徴とする。
【００１８】
第８発明は、ソール部材の表面の傾斜角度を決定するためのソール部材の傾斜角度決定装置であって、旋回可能に設けられ、左右の足を載せて外旋回及び内旋回させる回転部材と、前記回転部材の外旋回角度及び内旋回角度を検出する旋回角度検出手段と、左右の足を前記回転部材に載せた状態で前記回転部材を中心線に対して前記外旋回及び前記内旋回させて検出した前記外旋回角度及び前記内旋回角度に基づいて左右の足の前記中心線に対する中心角度をそれぞれ算出し、当該算出した左右の足の前記中心角度に基づいて前記ソール部材の表面の傾斜角度を算出する制御手段と、を有することを特徴とする。
【００１９】
第９発明は、ソール部材の表面の傾斜角度を決定するためのソール部材の傾斜角度決定方法であって、左右の足を回転部材に載せた状態で回転部材を中心線に対して外旋回及び内旋回させることにより外旋回角度及び内旋回角度を旋回角度検出手段により検出する旋回角度検出工程と、前記旋回角度検出工程で検出された前記外旋回角度及び前記内旋回角度に基づいて左右の足の前記中心線に対する中心角度を制御手段により算出する中心角度算出工程と、前記中心角度算出工程で算出された左右の足の前記中心角度に基づいて前記ソール部材の表面の傾斜角度を制御手段により算出する傾斜角度算出工程と、を有することを特徴とする。
【発明の効果】
【００２０】
第１発明によれば、左右の足を回転部材に載せた状態で回転部材を中心線に対して外旋回及び内旋回させて外旋回角度及び内旋回角度を旋回角度検出手段により検出する。当該検出した外旋回角度及び内旋回角度に基づいて左右の足の中心線に対する中心角度を制御手段によりそれぞれ算出する。そして、左右の足の中心線に対する中心角度に基づいて表面の傾斜角度を制御手段により算出する。これにより、使用者の身体的な特徴に合致した最適なソール部材を得ることができる。
【００２１】
第２発明によれば、ソール部材には傾斜角度の高低を示す印部が設けられている、ソール部材を使用するときに、ソール部材の高低の位置が明確になる。これにより、ソール部材の向きを正確に特定することができ、正しい向きでソール部材を使用することが可能になる。
【００２２】
第３発明によれば、印部が穴部で構成されているため、印部を容易に形成することができる。また、印部を穴部で構成することにより、印部の加工が容易になるとともに、ソール部材が軽量になり、動作時に身体に作用する様々な負担を軽減することが可能になる。
【００２３】
第４発明によれば、履物には使用者の身体的な特徴に合致した最適なソール部材が設けられているため、当該履物をはくことにより、動作時に身体に作用する様々な負担を軽減することができる。
【００２４】
第５発明によれば、靴下には使用者の身体的な特徴に合致した最適なソール部材が設けられているため、当該靴下をはくことにより、動作時に身体に作用する様々な負担を軽減することができる。
【００２５】
第６発明によれば、ストッキング（ショートストッキングやパンティストッキングなど）には使用者の身体的な特徴に合致した最適なソール部材が設けられているため、当該ストッキングをはくことにより、動作時に身体に作用する様々な負担を軽減することができる。
【００２６】
第７発明によれば、タイツには使用者の身体的な特徴に合致した最適なソール部材が設けられているため、当該タイツをはくことにより、動作時に身体に作用する様々な負担を軽減することができる。
【００２７】
第８発明によれば、左右の足を回転部材に載せた状態で回転部材を中心線に対して外旋回及び内旋回させて外旋回角度及び内旋回角度を検出する。当該検出した外旋回角度及び内旋回角度に基づいて左右の足の中心線に対する中心角度をそれぞれ算出する。そして、左右の足の中心線に対する中心角度に基づいて表面の傾斜角度を算出する。これにより、使用者の身体的な特徴に合致した最適なソール部材を得ることができる。
【００２８】
第９発明によれば、旋回角度検出工程において、左右の足を回転部材に載せた状態で回転部材を中心線に対して外旋回及び内旋回させることにより、外旋回角度及び内旋回角度が旋回角度検出手段により検出される。中心角度算出工程において、旋回角度検出工程で検出された外旋回角度及び内旋回角度に基づいて左右の足の中心線に対する中心角度が制御手段により算出される。傾斜角度算出工程において、中心角度算出工程で算出された左右の足の中心角度に基づいてソール部材の表面の傾斜角度が制御手段により算出される。前記各工程を経ることにより、使用者の身体的な特徴に合致した最適なソール部材を容易に得ることができる。
【図面の簡単な説明】
【００２９】
【図１】本発明のスタンス決定システムの構成図である。
【図２】本発明のスタンス決定システムを構成するスタンス測定装置の斜視図である。
【図３】本発明のスタンス決定システムを構成するスタンス測定装置の部分的な断面図である。
【図４】本発明のスタンス決定システムによるスタンス決定方法のフローチャート（工程図）である。
【図５】本発明のスタンス決定システムによるスタンス決定方法で用いられる両足の旋回角度と正負の関係を示した説明図である。
【図６】本発明のスタンス決定システムによるスタンス決定方法において両足の旋回角度から算出された中心角度（αとβ）を一つの座標軸上に合成した説明図である。
【図７】本発明のスタンス決定システムによるスタンス決定方法において右足の中心角度がα≦の場合の右足のつま先角度の位置を示した説明図である。
【図８】本発明のスタンス決定システムによるスタンス決定方法において右足の中心角度が０＜α＜１５の場合の右足のつま先角度の位置を示した説明図である。
【図９】本発明のスタンス決定システムによるスタンス決定方法において右足の中心角度がα≧１５の場合の右足のつま先角度の位置を示した説明図である。
【図１０】本発明のスタンス決定システムによるスタンス決定方法において右足の中心角度がα≦０の場合の右足と左足のつま先角度の位置を一つの座標軸上に合成した説明図である。
【図１１】本発明のスタンス決定システムによるスタンス決定方法において右足の中心角度が０＜α＜１５の場合の右足と左足のつま先角度の位置を一つの座標軸上に合成した説明図である。
【図１２】本発明のスタンス決定システムによるスタンス決定方法において右足の中心角度がα≧１５の場合の右足と左足のつま先角度の位置を一つの座標軸上に合成した説明図である。
【図１３】本発明のスタンス決定システムによるスタンス決定方法において右足の中心角度がα≦０の場合の両足の最適なスタンス位置と最適なスタンス幅を示した説明図である。
【図１４】本発明のスタンス決定システムによるスタンス決定方法において右足の中心角度が０＜α＜１５の場合の両足の最適なスタンス位置と最適なスタンス幅を示した説明図である。
【図１５】本発明のスタンス決定システムによるスタンス決定方法において右足の中心角度がα≧１５の場合の両足の最適なスタンス位置と最適なスタンス幅を示した説明図である。
【図１６】本発明のソール部材の傾斜角度決定装置の構成図である。
【図１７】本発明のソール部材の傾斜角度決定装置によるソール部材の傾斜角度決定方法のフローチャート（工程図）である
【図１８】本発明の所定の動作時において身体の正面方向（正対方向）の延びる線からの開き角度γを説明するための図である。
【図１９】本発明のソール部材の斜視図である。
【図２０】本発明のソール部材の表面の傾斜角度を説明するための図である。
【図２１】本発明のソール部材に印部が付されている態様の斜視図である。
【図２２】本発明のソール部材を内部に備えた履物の概念図である。
【図２３】本発明のソール部材を外部に備えた履物の概念図である。
【図２４】本発明のソール部材を内部に備えた靴下の概念図である。
【図２５】本発明のソール部材を外部に備えた靴下の概念図である。
【図２６】本発明のソール部材を内部に備えたストッキングの概念図である。
【図２７】本発明のソール部材を外部に備えたストッキングの概念図である。
【図２８】本発明のソール部材を内部に備えたタイツの概念図である。
【図２９】本発明のソール部材を外部に備えたタイツの概念図である。
【図３０】本発明のソール部材に突起部を設け、スノーボードのボード上に取り付けた状態の概念図である。
【発明を実施するための形態】
【００３０】
［スタンス決定システム及びスタンス決定方法］
本発明のスタンス決定システム及びスタンス決定方法について、図面を参照して説明する。なお、以下の実施形態では、ゴルフプレーヤーの最適なゴルフスタンスを決定するための用途に用いられた例を挙げて説明する。
【００３１】
ただし、本発明は、ゴルフプレーヤーの最適なゴルフスタンスを決定するための用途だけではなく、例えば、スノーボードを行うスノーボーダーの両足の最適なスタンスを決定する用途などにも適用することができる。
【００３２】
なお、本明細書では、「両足のスタンス」とは、両足のスタンス位置とスタンス幅の両方を含んだ概念と定義する。
【００３３】
図１に示すように、スタンス決定システム１０は、スタンス測定装置１２と、スタンス測定装置１２で測定された両足の各旋回角度等に基づいて最適なスタンスを算出する電子機器３２と、を有機的に接続されて構成されている。
【００３４】
図２及び図３に示すように、スタンス測定装置１２は、装置本体となる筐体１４を備えている。筐体１４には、２つの回転部材１６Ｒ、１６Ｌが旋回可能（回転可能）に設けられている。具体的には、２つの回転部材１６Ｒ、１６Ｌは、右足と左足のそれぞれに対応したものであり、使用者の足を載せるための回転盤１８と、回転盤１８の下面に接続された回転軸２０と、回転盤１８及び回転軸２０を回転可能にする回転機構と、で構成されている。
【００３５】
なお、スタンス測定装置１２の筐体１４は、必ずしも必要となる構成ではない。例えば、スタンス測定装置１２は、筐体１４が用いられず、２つの回転部材１６Ｒ、１６Ｌなど筐体１４以外の要素で構成されている態様のものでもよい。
【００３６】
回転軸２０の下端部には、ポテンションメータ（旋回角度検出手段）２２が取り付けられている。ポテンションメータ２２は、いわゆる可変抵抗器であり、従来から周知のものが採用されており、回転盤１８及び回転軸２０の旋回角度（回転角度、外旋回角度と内旋回角度）を検出するためのものである。
【００３７】
ここで、ポテンションメータの形状としては、回転角度を検出するロータリーポテンショメータと、直線上の位置を検出するリニアポテンショメータと、がある。ロータリー型のものでは、単回転型と多回転型とがある。内部は可変抵抗器の構造をしており、抵抗部には巻線抵抗を使用しているもの、導電性プラスチックを使用しているものなどがある。使用方法としては、二つの固定電極の両端に基準電圧を掛け、可動電極の電圧を測定することで、可動電極の位置を判定する。
【００３８】
なお、ポテンションメータ２２に替えて、旋回角度（回転角度）を検出するための回転角度センサ（従来から周知のもの）が利用できる。
【００３９】
２つの回転部材１６Ｒ、１６Ｌは、同じ構成を備えている。使用者の右足を一方の回転部材１６Ｒに載せた状態で回転させることにより外旋回角度と内旋回角度を検出することができ、使用者の左足を他方の回転部材１６Ｌに載せた状態で回転させることにより外旋回角度と内旋回角度を検出することができる。また、２つの回転部材１６Ｒ、１６Ｌのうち、各回転盤１８が筐体１２の上面側に露出しており、両足の旋回角度を測定するための測定作業が行いやすくなっている。
【００４０】
また、筐体１２の内部には、回転部材１６Ｒ、１６Ｌを回転させるための回転機構が設けられている。具体的には、筐体１２の内部には、回転盤受け２４が配置されている。回転盤受け２４には、スラストベアリング２６が設けられている。また、筐体１２の内部には、ボールベアリング２８が設けられている。スラストベアリング２６及びボールベアリング２８により、回転軸２０及び回転盤１８の回転（旋回）動作が可能になる。さらに、筐体１２の内部には、ポテンションメータ受け３０が配置されている。
【００４１】
図１に示すように、電子機器３２は、端末装置３４と、プリンタ装置３６と、を有している。ここで、ポテンションメータ２２は、ＡＤ変換ボード（アナログデータをデジタルデータに変換するもの）３８を介して、端末装置３４に電気的に接続されている。このため、ポテンションメータ２２で検出された回転盤１８の旋回角度の検出結果は、データとして端末装置３４に出力することが可能になる。なお、ポテンションメータ２２と端末装置３４とを電気的に接続する部材として、ＵＳＢケーブルが用いられている。なお、ＡＤ変換ボードには、電源ユニット４０が電気的に接続されている。また、端末装置３４には、プリンタ装置３６がＵＳＢケーブルなどにより電気的に接続されている。
【００４２】
ここで、端末装置３４の内部には、制御手段の一構成要素としてＣＰＵ（制御手段）３４Ａ、ＲＡＭ３４Ｂ、ＲＯＭ３４Ｃなどの電子部品がそれぞれ内蔵されている。ＣＰＵ３４Ａは、ポテンションメータ２２から送信されてきた回転盤１８の旋回角度の検出結果に基づいて、両足の最適なスタンスを決定することができる。また、ＲＡＭ３４ＢあるいはＲＯＭ３４Ｃには、ＣＰＵ３４Ａが両足の最適なスタンスを導くための演算プログラムが格納されている。具体的には、演算プログラムは、ＣＰＵ３４Ａが両足の最適なスタンス位置を決定するためのスタンス位置決定プログラムと、ＣＰＵ３４Ａが両足（右足と左足）の最適なスタンス幅（間隔）を決定するためのスタンス幅決定プログラムと、で構成されている。
【００４３】
ここで、スタンス位置決定プログラムは、ポテンションメータ２２で検出された外旋回角度及び内旋回角度に基づいて左右の足の中心線に対する中心角度をそれぞれ算出する中心角度算出ステップと、左右の足の中心角度間の開き角度を算出する開き角度算出ステップと、左右の足のうち一方の足のつま先角度を所定の位置に決定する第１つま先角度決定ステップと、第１つま先角度決定工程で決定された左右の足のうち一方の足のつま先角度に対して開き角度が維持される位置を左右の足のうち他方の足のつま先角度に決定する第２つま先角度決定ステップと、を含んでいる。
【００４４】
中心角度算出ステップは、左右両足の中心線ＣＬに対する中心角度を算出するプログラム要素であり、特に男性用の中心角度の算出式と女性用の中心角度の算出式が異なっている。
【００４５】
例えば、男性用の右足の中心角度の算出式は、右足の外旋回角度をＲＯ、右足の内旋回角度をＲＩとすると、男性の右足の中心角度（ＲＣ）は、
ＲＣ＝ＲＯ−（（ＲＯ＋ＲＩ）／２）
により決定される。
【００４６】
また、男性用の左足の中心角度の算出式は、左足の外旋回角度をＬＯ、左足の内旋回角度をＬＩとすると、男性の左足の中心角度（ＬＣ）は、
ＬＣ＝ＬＯ−（（ＬＯ＋ＬＩ）／２）
により決定される。
【００４７】
また、女性用の右足の中心角度の算出式は、右足の外旋回角度をＲＯ、右足の内旋回角度をＲＩとすると、女性の右足の中心角度（ＲＣ）は、
ＲＣ＝ＲＯ−（５５×（ＲＯ＋ＲＩ）／１００）
により決定される。
【００４８】
また、女性用の左足の中心角度の算出式は、左足の外旋回角度をＬＯ、左足の内旋回角度をＬＩとすると、女性の左足の中心角度（ＬＣ）は、
ＬＣ＝ＬＯ−（５５×（ＬＯ＋ＬＩ）／１００）
により決定される。
【００４９】
なお、男性用及び女性用の右足及び左足の中心角度（ＲＣ、ＬＣ）とは、図５（Ａ）、（Ｂ）に示すように、使用者が真正面方向を向いて回転盤１８に載った状態で真正面に沿って延びた中心線ＣＬを基準にして、中心線ＣＬから測定した角度を意味するものである。
【００５０】
開き角度算出ステップは、右足の中心角度（ＲＣ）と左足の中心角度（ＬＣ）との開き角度を算出するプログラム要素である。前記開き角度は、
（右足の中心線ＣＬを基準とする中心角度（ＲＣ））＋（左足の中心線ＣＬを基準とする中心角度（ＬＣ））
により算出することができる。
【００５１】
具体的には、図５及び図６に示すように、右足の中心線ＣＬを基準とする中心角度（ＲＣ）をα（算出した中心角度の中心線ＣＬから測定した角度αと定義する）、左足の中心線ＣＬを基準とする中心角度（ＬＣ）をβ（算出した中心角度の中心線ＣＬから測定した角度βと定義する）とした場合、α＋βにより両者の開き角度を算出することが可能である。
【００５２】
第１つま先角度決定ステップでは、左右の足のうち一方の足（例えば、右足）のつま先角度を所定の位置に決定するためのプログラム要素である。左右の足のうち一方の足（例えば、右足）のつま先角度の所定の位置は、次のように決定される。
【００５３】
すなわち、中心角度算出ステップで算出された左右の足のうち一方の足（例えば、右足）の中心角度α（中心角度の中心線ＣＬから測定した角度α）がα≦０（図７参照）であれば、左右の足のうち一方の足（例えば、右足）のつま先角度の所定の位置は、中心角度αが０度の位置（すなわち、中心線ＣＬ上の位置）に決定される。
【００５４】
また、中心角度算出ステップで算出された左右の足のうち一方の足（例えば、右足）の中心角度α（中心角度の中心線ＣＬから測定した角度α）が０＜α＜１５（図８参照）であれば、つま先角度の所定の位置は、中心角度算出ステップで算出された中心角度αの位置に決定される。
【００５５】
さらに、中心角度算出ステップで算出された左右の足のうち一方の足（例えば、右足）の中心角度α（中心角度の中心線ＣＬから測定した角度α）がα≧１５（図９参照）であれば、つま先角度の所定の位置は、中心角度αが１５度の位置に決定される。
【００５６】
なお、左利きの使用者は、第１つま先角度決定ステップにおいて、左右の足のうち一方の足（例えば、左足）のつま先角度が所定の位置に決定される。左右の足のうち一方の足（例えば、左足）のつま先角度の所定の位置が決定される決定方法については、右足のつま先角度の場合と同様であるため、説明を省略する。
【００５７】
また、第１つま先角度決定ステップにおいて、男性用のつま先角度決定方法と女性用のつま先角度決定方法とは同様の方法で実行される。
【００５８】
第２つま先角度決定ステップは、第１つま先角度決定ステップで決定された左右の足のうち一方の足のつま先角度に対して前記開き角度が維持される位置を左右の足のうち他方の足のつま先角度に決定するためのプログラム要素である。
【００５９】
具体的には、第１つま先角度決定ステップで決定された左右の足のうち一方の足（右足）のつま先角度の位置が決定された後、この決定された位置に対して、両者の開き角度が維持されるように、左右の足のうち一方の足（左足）のつま先角度の位置が決定される。
【００６０】
例えば、図７に示すように、左右の足のうち一方の足（右足）の中心角度αがα≦０である場合、つま先角度の位置が０度の位置（中心線ＣＬ上の位置）になる。この場合には、図１０に示すように、左右の足のうち一方の足（左足）のつま先角度の位置は、右足のつま先角度の位置（中心線ＣＬ上の位置）から（α＋β）の角度だけ開いた位置になる。
【００６１】
また、図８に示すように、左右の足のうち一方の足（右足）の中心角度αが０＜α＜１５である場合、つま先角度の位置が中心角度αの位置になる。この場合には、図１１に示すように、左右の足のうち一方の足（左足）のつま先角度の位置は、右足のつま先角度αの位置から（α＋β）の角度だけ開いた位置になる。
【００６２】
さらに、図９に示すように、左右の足のうち一方の足（右足）の中心角度αがα≧１５である場合、つま先角度の位置が中心角度１５度の位置になる。この場合には、図１２に示すように、左右の足のうち一方の足（左足）のつま先角度の位置は、右足のつま先角度１５度の位置から（α＋β）の角度だけ開いた位置になる。
【００６３】
ここで、図５に示すように、右足の中心角度αは、中心線ＣＬに関して右側に開いた場合を正とし、左側に開いた場合を負と定義する。また、左足の中心角度βは、中心線ＣＬに関して左側に開いた場合を正とし、右側に開いた場合を負と定義する。この定義を前提として、上記各ステップにより、両足の最適なスタンス位置が決定される。
【００６４】
なお、左利きの使用者は、第１つま先角度決定ステップにおいて、左右の足のうち左足のつま先角度が所定の位置に決定された後、第２つま先角度決定ステップにおいて、左右の足のうち右足のつま先角度が所定の位置に決定される。
【００６５】
また、上記構成では、制御手段の一構成要素であるＣＰＵ３４Ａ、ＲＡＭ３４Ｂ及びＲＯＭ３４Ｃが端末装置３４に内蔵されている構成を例にとり説明したが、この構成に限られるものではなく、例えば、ＣＰＵ３４Ａ、ＲＡＭ３４Ｂ及びＲＯＭ３４Ｃがスタンス測定装置１２に内蔵されており、スタンス測定装置１２単体で両足の最適なスタンス位置を決定することができるように構成してもよい。
【００６６】
さらに、スタンス幅決定プログラムは、両足（右足と左足）の最適なスタンス幅Ｈ（図１３から図１５参照）を決定するためのプログラム要素である。スタンス幅決定プログラムは、身長と体重の値とからＢＭＩ法により標準体重を算出し、測定者の体重が標準体重から５ｋｇ増加する毎に、１ｃｍのスタンス幅を標準スタンスに対して加算し、最適なスタンス幅Ｈ（図１３から図１５参照）を算出するものである。なお、標準体重のときの標準スタンスは、予め、ＲＡＭ３４Ｍ又はＲＯＭ３４Ｃに格納されている。
【００６７】
測定者が自身の身長と体重を端末装置３４に入力することにより、端末装置３４のＣＰＵ３４Ａがスタンス幅決定プログラムに基づいて最適なスタンス幅Ｈを算出する。また、ＣＰＵ３４Ａ、ＲＡＭ３４Ｂ及びＲＯＭ３４Ｃがスタンス測定装置１２に内蔵されている場合には、測定者が自身の身長と体重をスタンス測定装置１２に入力することにより、スタンス測定装置１２のＣＰＵがスタンス幅決定プログラムに基づいて最適なスタンス幅Ｈを算出する。
【００６８】
また、上記により算出された最適スタンス位置と最適スタンス幅Ｈは、ＲＡＭ３４ＢあるいはＲＯＭ３４Ｃに記憶される。また、最適スタンス位置と最適スタンス幅は、最適スタンスの結果として、端末装置３４からプリンタ装置３６に対して出力することができ、プリンタ装置３６からプリントアウトすることができる。さらに、ＣＰＵ３４Ａ、ＲＡＭ３４Ｂ及びＲＯＭ３４Ｃがスタンス測定装置１２に内蔵されている場合には、上記により算出された最適スタンス位置と最適スタンス幅Ｈは、最適スタンスの結果として、スタンス測定装置１２からプリンタ装置３６に対して出力することができ、さらにプリンタ装置３６からプリントアウトすることができる。
【００６９】
次に、スタンス決定システムを用いたスタンス決定方法について説明する。
【００７０】
図４に示すように、スタンス決定方法は、左右の足をそれぞれ対応する回転盤１８に載せた状態で回転盤１８を中心線ＣＬに対して外旋回及び内旋回させることにより外旋回角度及び内旋回角度を検出する旋回角度検出工程Ｓ１００と、旋回角度検出工程Ｓ１００で検出された外旋回角度及び内旋回角度に基づいて左右の足の中心線ＣＬに対する中心角度を算出する中心角度算出工程Ｓ１０２と、中心角度算出工程Ｓ１０２で算出された左右の足の中心角度間の開き角度を算出する開き角度算出工程Ｓ１０４と、左右の足のうち一方の足のつま先角度を所定の位置に決定する第１つま先角度決定工程Ｓ１０６と、第１つま先角度決定工程Ｓ１０６で決定された左右の足のうち一方の足の前記つま先角度に対して開き角度が維持される位置を左右の足のうち他方の足のつま先角度に決定する第２つま先角度決定工程Ｓ１０８と、両足のスタンス幅を決定するスタンス幅決定工程Ｓ１１０と、から構成されている。
【００７１】
（旋回角度検出工程）
旋回角度検出工程Ｓ１００では、右足と左足をそれぞれ対応する各回転盤１８（図２参照）に載せた状態で各回転盤１８を中心線ＣＬに対して外旋回及び内旋回させる。
【００７２】
ここで、右足を回転盤１８に載せて外旋回するという意味は、図５（Ａ）に示すα（＋）の方向に向って回転盤１８を回転させることであり、右足を回転盤１８に載せて内旋回するという意味は、図５（Ａ）に示すα（−）の方向に向って回転盤１８を回転させることである。
【００７３】
一方、左足を回転盤１８に載せて外旋回するという意味は、図５（Ｂ）に示すβ（＋）の方向に向って回転盤１８を回転させることであり、左足を回転盤１８に載せて内旋回するという意味は、図５（Ｂ）に示すβ（−）の方向に向って回転盤１８を回転させることである。
【００７４】
これにより、回転盤１８の回転角度を検出する機能を有するポテンションメータ２２により、両足の外旋回角度と内旋回角度が検出される。
【００７５】
なお、旋回角度検出工程Ｓ１００でポテンションメータ２２により検出された右足の外旋回角度と内旋回角度、及び左足の外旋回角度と内旋回角度は、データ信号として、ポテンションメータ２２から端末装置３４に対して出力される。
【００７６】
右足の外旋回角度と内旋回角度、及び左足の外旋回角度と内旋回角度は、データとしてＲＡＭ３４Ｂ又はＲＯＭ３４Ｃに保存される。
【００７７】
（中心角度算出工程）
中心角度算出工程Ｓ１０２では、旋回角度検出工程Ｓ１００で検出された外旋回角度及び内旋回角度に基づいて左右の足の中心線ＣＬに対する中心角度がＣＰＵ３４Ａにより算出される。
【００７８】
例えば、男性用の右足の中心角度の算出式は、右足の外旋回角度をＲＯ、右足の内旋回角度をＲＩとすると、男性の右足の中心角度（ＲＣ）は、
ＲＣ＝ＲＯ−（（ＲＯ＋ＲＩ）／２）
により決定される。
【００７９】
また、男性用の左足の中心角度の算出式は、左足の外旋回角度をＬＯ、左足の内旋回角度をＬＩとすると、男性の左足の中心角度（ＬＣ）は、
ＬＣ＝ＬＯ−（（ＬＯ＋ＬＩ）／２）
により決定される。
【００８０】
また、女性用の右足の中心角度の算出式は、右足の外旋回角度をＲＯ、右足の内旋回角度をＲＩとすると、女性の右足の中心角度（ＲＣ）は、
ＲＣ＝ＲＯ−（５５×（ＲＯ＋ＲＩ）／１００）
により決定される。
【００８１】
また、女性用の左足の中心角度の算出式は、左足の外旋回角度をＬＯ、左足の内旋回角度をＬＩとすると、女性の左足の中心角度（ＬＣ）は、
ＬＣ＝ＬＯ−（５５×（ＬＯ＋ＬＩ）／１００）
により決定される。
【００８２】
以上のようにして、図６に示すように、右足の中心角度αと左足の中心角度βがそれぞれ算出される。
【００８３】
なお、右足の中心角度αと左足の中心角度βは、データとしてＲＡＭ３４Ｂ又はＲＯＭ３４Ｃに保存される。
【００８４】
（開き角度算出工程）
開き角度算出工程Ｓ１０４では、図５及び図６に示すように、右足の中心角度αと左足の中心角度βとの開き角度（α＋β）は、（右足の中心線ＣＬを基準とする中心角度α）＋（左足の中心線ＣＬを基準とする中心角度β）によってＣＰＵ３４Ａによって算出される。
【００８５】
なお、両足の開き角度（α＋β）は、データとしてＲＡＭ３４Ｂ又はＲＯＭ３４Ｃに保存される。
【００８６】
（第１つま先角度決定工程）
第１つま先角度決定工程Ｓ１０６では、例えば、右足のつま先角度の所定の位置は、次のように決定される。
【００８７】
すなわち、図７に示すように、中心角度算出工程Ｓ１０２で算出された右足の中心角度α（中心角度の中心線ＣＬから測定した角度α）がα≦０であれば、右足のつま先角度の所定の位置は、中心角度αが０度の位置（すなわち、中心線ＣＬ上の位置）に決定される。
【００８８】
また、図８に示すように、中心角度算出工程Ｓ１０２で算出された右足の中心角度α（中心角度の中心線ＣＬから測定した角度α）が０＜α＜１５であれば、つま先角度の所定の位置は、中心角度算出工程Ｓ１０２で算出された中心角度αの位置に決定される。
【００８９】
さらに、図９に示すように、中心角度算出工程Ｓ１０２で算出された右足の中心角度α（中心角度の中心線ＣＬから測定した角度α）がα≧１５であれば、つま先角度の所定の位置は、中心角度αが１５度の位置に決定される。
【００９０】
なお、右足のつま先角度の所定の位置は、データとしてＲＡＭ３４Ｂ又はＲＯＭ３４Ｃに保存される。
【００９１】
左利きの使用者は、第１つま先角度決定工程Ｓ１０６において、先ず左足のつま先角度が所定の位置に決定される。左足のつま先角度の所定の位置が決定される決定方法については、右足のつま先角度の場合と同様である。
【００９２】
（第２つま先角度決定工程）
第２つま先角度決定工程Ｓ１０８では、第１つま先角度決定工程Ｓ１０６で決定された右足のつま先角度の位置が決定された後、この決定された位置に対して、両者の開き角度が維持されるように、左足のつま先角度の位置が決定される。
【００９３】
具体的には、図７に示すように、右足の中心角度αがα≦０である場合、つま先角度の位置が０度の位置（中心線ＣＬ上の位置）になる。この場合には、図１０に示すように、左足のつま先角度の位置は、右足のつま先角度の位置（中心線ＣＬ上の位置）から（α＋β）の角度だけ反時計回りに開いた位置になる。
【００９４】
また、図８に示すように、右足の中心角度αが０＜α＜１５である場合、つま先角度の位置が中心角度αの位置になる。この場合には、図１１に示すように、左足のつま先角度の位置は、右足のつま先角度αの位置から（α＋β）の角度だけ反時計回りに開いた位置になる。
【００９５】
さらに、図９に示すように、右足の中心角度αがα≧１５である場合、つま先角度の位置が中心角度１５度の位置になる。この場合には、図１２に示すように、左足のつま先角度の位置は、右足のつま先角度１５度の位置から（α＋β）の角度だけ反時計回りに開いた位置になる。
【００９６】
なお、左足のつま先角度の所定の位置は、データとしてＲＡＭ３４Ｂ又はＲＯＭ３４Ｃに保存される。
【００９７】
左利きの使用者は、第１つま先角度決定工程Ｓ１０６において、左足のつま先角度が上記第１つま先角度決定工程Ｓ１０６の方法によって所定の位置に決定された後、第２つま先角度決定工程Ｓ１０８において、右足のつま先角度が上記第２つま先角度決定工程Ｓ１０８の方法によって所定の位置に決定される。
【００９８】
（スタンス幅決定工程）
スタンス幅決定工程Ｓ１１０では、測定者（使用者）が自身の身長と体重を端末装置３４に入力することにより、スタンス幅決定プログラムに基づいて最適なスタンス幅Ｈ（図１３から図１５参照）が算出される。
【００９９】
すなわち、測定者によって端末装置３４に入力された身長と体重の値に基づいてＢＭＩ法により標準体重がＣＰＵ３４Ａにより算出され、測定者の体重が標準体重から５ｋｇ増加する毎に、１ｃｍのスタンス幅が標準スタンスに対して加算されて、最適なスタンス幅Ｈ（図１３から図１５参照）が算出される。
【０１００】
なお、測定者のスタンス幅は、データとしてＲＡＭ３４Ｂ又はＲＯＭ３４Ｃに保存される。
【０１０１】
ここで、右足の中心角度αがα≦０である場合、両足の最適なスタンス位置と最適なスンタス幅Ｈは、図１３に示すようになる。
【０１０２】
右足の中心角度αが０＜α＜１５である場合、両足の最適なスタンス位置と最適なスンタス幅Ｈは、図１４に示すようになる。
【０１０３】
右足の中心角度αがα≧１５である場合、両足の最適なスタンス位置と最適なスンタス幅Ｈは、図１５に示すようになる。
【０１０４】
以上の各工程により、使用者の両足の最適なスタンス（スタンス位置及びスタンス幅（間隔））が決定される。そして、最適スタンス位置と最適スタンス幅Ｈは、最適スタンスの結果として、端末装置３４からプリンタ装置３６に対して出力することができ、プリンタ装置３６からプリントアウトすることができる。使用者は、この結果を参照することにより、自らの両足の最適なスタンスを知ることができる。
【０１０５】
以上のように、本実施形態によれば、各プレーヤー（使用者）の肉体的な特徴（例えば、体格、体質、股関節等の関節部位などの骨格の特性）に基づいて、各プレーヤー（使用者）の両者の最適なスタンスを決定するこができる。
【０１０６】
［ソール部材の傾斜角度決定装置及びソール部材の傾斜角度決定方法］
次に、本発明のソール部材の傾斜角度決定装置及びソール部材の傾斜角度決定方法について説明する。なお、図１のスタンス決定システム１０の構成と同様の構成には、同符号を付し、説明を省略する。
【０１０７】
ソール部材の傾斜角度決定装置として、前述したスタンス決定システムを利用する。すなわち、図１６に示すように、ソール部材の傾斜角度決定装置１００は、スタンス測定装置１２と、スタンス測定装置１２で測定された両足の各旋回角度等に基づいて最適なスタンスを算出する電子機器３２と、を有機的に接続されて構成されている。
【０１０８】
ソール部材の傾斜角度決定装置１００のスタンス測定装置１２は、スタンス決定システム１のスタンス測定装置１２と同じものである。このため、図２及び図３に基づいたスタンス測定装置１２の説明は、既に完了しているため、ここでの説明は省略する。
【０１０９】
ソール部材の傾斜角度決定装置１００の電子機器３２の構成についても、スタンス決定システムの電子機器３２と同様の構成である。このため、重複する構成の説明は省略する。ただし、図１６に示すように、電子機器３２の端末装置３４のＲＡＭ３４ＢあるいはＲＯＭ３４Ｃに格納されている演算プログラムの一つに、ソール部材の傾斜角度決定プログラム（図１７に示すフローチャートの各工程を実行するプログラム）を備えている。
【０１１０】
ソール部材の傾斜角度決定プログラムは、ポテンションメータ２２で検出された外旋回角度及び内旋回角度に基づいて左右の足の中心線に対する中心角度をそれぞれ算出する中心角度算出ステップと、左右の足の中心線に対する中心角度に基づいてソール部材の表面の傾斜角度を算出する傾斜角度算出ステップと、を含んでいる。
【０１１１】
中心角度算出ステップは、前述した通りであるが、左右両足の中心線ＣＬに対する中心角度を算出するプログラム要素であり、特に男性用の中心角度の算出式と女性用の中心角度の算出式が異なっている。
【０１１２】
例えば、男性用の右足の中心角度の算出式は、右足の外旋回角度をＲＯ、右足の内旋回角度をＲＩとすると、男性の右足の中心角度（ＲＣ）は、
ＲＣ＝ＲＯ−（（ＲＯ＋ＲＩ）／２）
により決定される。
【０１１３】
また、男性用の左足の中心角度の算出式は、左足の外旋回角度をＬＯ、左足の内旋回角度をＬＩとすると、男性の左足の中心角度（ＬＣ）は、
ＬＣ＝ＬＯ−（（ＬＯ＋ＬＩ）／２）
により決定される。
【０１１４】
また、女性用の右足の中心角度の算出式は、右足の外旋回角度をＲＯ、右足の内旋回角度をＲＩとすると、女性の右足の中心角度（ＲＣ）は、
ＲＣ＝ＲＯ−（５５×（ＲＯ＋ＲＩ）／１００）
により決定される。
【０１１５】
また、女性用の左足の中心角度の算出式は、左足の外旋回角度をＬＯ、左足の内旋回角度をＬＩとすると、女性の左足の中心角度（ＬＣ）は、
ＬＣ＝ＬＯ−（５５×（ＬＯ＋ＬＩ）／１００）
により決定される。
【０１１６】
なお、男性用及び女性用の右足及び左足の中心角度（ＲＣ、ＬＣ）とは、図５（Ａ）、（Ｂ）に示すように、使用者が真正面方向を向いて回転盤１８に載った状態で真正面に沿って延びた中心線ＣＬを基準にして、中心線ＣＬから測定した角度を意味するものである。
【０１１７】
なお、ソール部材の傾斜角度決定プログラムに、ポテンションメータ２２（図３参照）で検出された外旋回角度及び内旋回角度に基づいて左右の足の中心線に対する中心角度をそれぞれ算出する中心角度算出ステップが含まれている構成に限るものではない。例えば、スタンス位置決定プログラムの中心角度算出ステップで算出された結果を利用することにより、ソール部材の傾斜角度決定プログラムに中心角度算出ステップを設けなくても、ソール部材の表面の傾斜角度を算出することが可能である。
【０１１８】
傾斜角度算出ステップは、ソール部材の傾斜角度を算出するプログラム要素であり、以下の算出式で構成される。
【０１１９】
すなわち、身体の正面方向（正対方向）に延びる線からの開き角度をγ（度）とし、右足の中心角度をＲＣとした場合、右足のソール部材の傾斜角度（ＲＮ）は、
ＲＮ＝（ＲＣ−γ）／３
により決定される。
【０１２０】
また、身体の正面方向（正対方向）に延びる線からの開き角度をγ（度）とし、左足の中心角度をＬＣとした場合、左足のソール部材の傾斜角度（ＬＮ）は、
ＬＮ＝（ＬＣ−γ）／３
により決定される。
【０１２１】
開き角度γ（度）とは、図１８に示すように、所定の動作時における身体の正面方向（正対方向）に延びる線からの開き角度を意味する。外股または内股であってもよく、所定の動作時における身体の正面方向（正対方向）に延びる線からの開き角度である。当該角度γは、当該ソール部材を用いる動作（例えば、歩行やスノーボードなどの動作）において固有の値である。左右の足で同じ値になることもあり、異なる値になることもある。また、測定者それぞれの身体特性（股関節の柔軟性など）に応じて異なる値を設定する。角度γは、傾斜角度測定時において入力操作あるいは選択操作することによりデータ入力する。
【０１２２】
（ソール部材の傾斜角度の具体例１）
ここで、ソール部材の傾斜角度の数値に関し、具体例をあげて説明する。
具体例の一つとして、歩行時に最適なソール部材の傾斜角度について検討する。理想的な左右両足の歩行時の角度γは、１０（度）になる。そして、右足の中心角度をＲＣ＝２０（度）、左足の中心角度をＬＣ＝１５（度）とする場合、
右足のソール部材の傾斜角度（ＲＮ）は、
ＲＮ＝（２０−１０）／３＝３．３（度）
になる。
左足のソール部材の傾斜角度（ＬＮ）は、
ＬＮ＝（１５−１０）／３＝１．６（度）
になる。
【０１２３】
上記傾斜角度（右：３．３度、左：１．６度）が使用者の身体特徴に合致した最適な角度になり、当該傾斜角度のソール部材が最適なソール部材になる。
【０１２４】
当該ソール部材の傾斜角度は、歩行時のみに有効なものではない。他に、両足を平行に揃えるスポーツ、例えば、スキー競技、自転車競技、ジャンプを多用するスポーツであるバレーボール、バスケットボールを行うときに、当該傾斜角度を有するソール部材を使用することが有効となる。
【０１２５】
（ソール部材の傾斜角度の具体例２）
他の具体例として、ゴルフのプレイ時に最適なソール部材の傾斜角度について検討する。右足の角度γ＝０（度）、左足の角度γ＝１２（度）に設定する。そして、右足の中心角度をＲＣ＝２０（度）、左足の中心角度をＬＣ＝１５（度）とする場合、
右足のソール部材の傾斜角度（ＲＮ）は、
ＲＮ＝（２０−０）／３＝６．６（度）
になる。
左足のソール部材の傾斜角度（ＬＮ）は、
ＬＮ＝（１５−１２）／３＝１．０（度）
になる。
【０１２６】
上記傾斜角度（右：６．６度、左：１．０度）が使用者の身体特徴に合致した最適な角度になり、当該傾斜角度のソール部材が最適なソール部材になる。
【０１２７】
次に、ソール部材の傾斜角度決定装置を用いたソール部材の傾斜角度決定方法について説明する。
【０１２８】
図１７に示すように、ソール部材の傾斜角度決定方法は、左右の足をそれぞれの回転盤１８に載せた状態で回転盤１８を中心線ＣＬに対して外旋回及び内旋回させることにより外旋回角度及び内旋回角度を検出する旋回角度検出工程Ｓ２００と、旋回角度検出工程Ｓ２００で検出された外旋回角度及び内旋回角度に基づいて左右の足の中心線ＣＬに対する中心角度を算出する中心角度算出工程Ｓ２１０と、中心角度算出工程Ｓ２１０で算出された左右の足の中心角度に基づいてソール部材の表面の傾斜角度を算出する傾斜角度算出工程Ｓ２２０と、を有している。
【０１２９】
（旋回角度検出工程）
旋回角度検出工程Ｓ２００では、右足と左足をそれぞれ対応する各回転盤１８（図２参照）に載せた状態で各回転盤１８を中心線ＣＬに対して外旋回及び内旋回させる。このとき、脊椎をまっすぐに伸ばし、かつ各膝を曲げない状態で左右の足を一緒（同時に）に回転させることが好ましい。
【０１３０】
ここで、右足を回転盤１８に載せて外旋回するという意味は、図５（Ａ）に示すα（＋）の方向に向って回転盤１８を回転させることであり、右足を回転盤１８に載せて内旋回するという意味は、図５（Ａ）に示すα（−）の方向に向って回転盤１８を回転させることである。
【０１３１】
一方、左足を回転盤１８に載せて外旋回するという意味は、図５（Ｂ）に示すβ（＋）の方向に向って回転盤１８を回転させることであり、左足を回転盤１８に載せて内旋回するという意味は、図５（Ｂ）に示すβ（−）の方向に向って回転盤１８を回転させることである。
【０１３２】
これにより、回転盤１８の回転角度を検出する機能を有するポテンションメータ２２により、両足の外旋回角度と内旋回角度が検出される。
【０１３３】
旋回角度検出工程Ｓ２００でポテンションメータ２２（図３参照）により検出された右足の外旋回角度と内旋回角度、及び左足の外旋回角度と内旋回角度は、データ信号として、図１６に示すように、スタンス測定装置１２のポテンションメータ２２から端末装置３４に対して出力される。
【０１３４】
なお、右足の外旋回角度と内旋回角度、及び左足の外旋回角度と内旋回角度は、データとしてＲＡＭ３４Ｂ又はＲＯＭ３４Ｃに保存される。
【０１３５】
（中心角度算出工程）
中心角度算出工程Ｓ２１０では、旋回角度検出工程Ｓ２００で検出された外旋回角度及び内旋回角度に基づいて左右の足の中心線ＣＬに対する中心角度がＣＰＵ３４Ａにより算出される。
【０１３６】
例えば、男性用の右足の中心角度の算出式は、右足の外旋回角度をＲＯ、右足の内旋回角度をＲＩとすると、男性の右足の中心角度（ＲＣ）は、
ＲＣ＝ＲＯ−（（ＲＯ＋ＲＩ）／２）
により決定される。
【０１３７】
また、男性用の左足の中心角度の算出式は、左足の外旋回角度をＬＯ、左足の内旋回角度をＬＩとすると、男性の左足の中心角度（ＬＣ）は、
ＬＣ＝ＬＯ−（（ＬＯ＋ＬＩ）／２）
により決定される。
【０１３８】
また、女性用の右足の中心角度の算出式は、右足の外旋回角度をＲＯ、右足の内旋回角度をＲＩとすると、女性の右足の中心角度（ＲＣ）は、
ＲＣ＝ＲＯ−（５５×（ＲＯ＋ＲＩ）／１００）
により決定される。
【０１３９】
また、女性用の左足の中心角度の算出式は、左足の外旋回角度をＬＯ、左足の内旋回角度をＬＩとすると、女性の左足の中心角度（ＬＣ）は、
ＬＣ＝ＬＯ−（５５×（ＬＯ＋ＬＩ）／１００）
により決定される。
【０１４０】
以上のようにして、図６に示すように、右足の中心角度αと左足の中心角度βがそれぞれ算出される。
【０１４１】
なお、右足の中心角度αと左足の中心角度βは、データとしてＲＡＭ３４Ｂ又はＲＯＭ３４Ｃに保存される。
【０１４２】
（傾斜角度算出工程）
傾斜角度算出工程Ｓ２２０では、中心角度算出工程Ｓ２２０により算出された左右両足の中心角度（ＲＣ、ＬＣ）のデータを用いて、かつ所定の角度γの値を入力あるいは選択して、ＣＰＵ３４Ａによりソール部材の傾斜角度決定プログラムに基づいてソール部材の傾斜角度が算出される。なお、ソール部材の傾斜角度の算出方法（具体例）については、上述した通りである。
【０１４３】
なお、右足用のソール部材の傾斜角度、及び左足用のソール部材の傾斜角度は、データとしてＲＡＭ３４Ｂ又はＲＯＭ３４Ｃに保存される。
【０１４４】
以上の各工程を経て、使用者の身体的な特徴に合致した最適なソール部材を設計することができる。
【０１４５】
本発明のソール部材の傾斜角度決定装置及びこれを用いたソール部材の傾斜角度決定方法によれば、上記各工程を経ることにより、使用者の身体的な特徴に合致した最適なソール部材を容易に設計することができる。
【０１４６】
［ソール部材］
次に、本発明のソール部材について説明する。
本発明のソール部材の表面の傾斜角度は、上記したソール部材の傾斜角度決定装置を用いたソール部材の傾斜角度決定方法によって決定されている。
【０１４７】
図１９に示すように、ソール部材２００は、第１表面部２０２と、下面である第２表面部２０４と、側面部２０６と、を有している。第１表面部２０２とは、例えば、上面である。第２表面部２０４とは、例えば、下面である。本実施例では、第１表面部２０６が傾斜面になるように形成されており、第２表面部２０４が水平面になるように形成されている。ソール部材２００は、例えば、無色透明の樹脂で構成されている。
【０１４８】
ここで、ソール部材の傾斜角度決定方法によって決定された傾斜角度とは、第１表面部２０２の表面と第２表面部２０４の表面との開き角度である。そして、第１表面部２０２の表面と第２表面部２０４の表面との開き角度とは、前述したＲＮ及びＬＮである。
【０１４９】
図２０に示すように、第１表面部２０２の傾斜角度は、第１表面部２０２上の点Ｅ−Ｆ間、点Ｅ−Ｇ間において、同じ傾斜角度になる。また、各線分間において、異なる角度となるように設定することも可能である。
【０１５０】
さらに、図２１に示すように、ソール部材２００には、傾斜角度の高低を明示するための印部２０８が付されている。印部２０８は、例えば、第１表面部２０２、第２表面部２０４、側面部２０６などのいずれかあるいは全てに付されている。
【０１５１】
印部２０８として、ソール部材２００に印字された高低の状態を示すための文字や図柄などの情報でもよいし、あるいはソール部材２００の厚い側又は薄い側に設けた穴部などでもよい。穴部として、例えば、ソール部材２００を厚み方向に貫通する貫通穴でもよいし、表面部に凹みを形成した凹部（貫通していない穴）でもよい。
【０１５２】
さらには、印部２０８として、ソール部材２００の表面、裏面又は内部に複数又は単一の色を付して、当該色によりソール部材２００の厚い側又は薄い側を明示するようにしてもよい。
【０１５３】
また、印部２０８として、ソール部材２００にエンボス加工を施して表示された凹凸模様を採用してもよい。
【０１５４】
なお、図２１は、印部２０８として、第１表面部２０２に穴部が形成されている一態様を示している。
【０１５５】
ここで、ソール部材２００の傾斜角度が極めて小さい場合には、使用者はソール部材２００がどちらに傾斜しているのか判断がつき難いことがある。そこで、印部２０８を付すことにより、ソール部材２００の傾斜角度の高低を視覚的に容易に特定することができる。この結果、ソール部材２００の位置決め、すなわち適切な向きでソール部材２００を使用することができ、ソール部材本来の効果を得ることができる。
【０１５６】
なお、ソール部材２００は、いわゆるインソール、いわゆるアウトソールの他に、足裏の角度を調整するカントとして、使用することが可能である。
【０１５７】
［ソール部材を備えた物品例］
次に、本発明のソール部材を備えた物品例について説明する。
物品例に設けられるソール部材の表面の傾斜角度は、上記したソール部材の傾斜角度決定装置を用いたソール部材の傾斜角度決定方法によって決定されている。
【０１５８】
（ソール部材を備えた履物）
単数個又は複数個のソール部材２００が、履物３００に着脱自在あるいは固定して設けられる。履物３００には、靴、ビジネスシューズ、下駄、スニーカー、サンダル、ブーツ、長靴、パンプス、ハイヒールなどが含まれる。
【０１５９】
例えば、ソール部材２００を左右の足の履物３００の内部にインソールとして敷いて使用してもよい（図２２参照）。この場合、通常のインソール３０２の下側に設けることが好ましい。また、ソール部材２００を左右の足の履物３００の外部、例えば底部に取り付け、カント又はアウトソールとして使用してもよい（図２３参照）。
【０１６０】
（ソール部材を備えた靴下）
単数個又は複数個のソール部材２００が、靴下３２０に着脱自在あるいは固定して設けられる。
【０１６１】
例えば、複数のソール部材２００が左右の各々の靴下３２０の内部に設けられている（図２４参照）。また、複数のソール部材２００が左右の各々の靴下３２０の外部に設けられている（図２５参照）。なお、ソール部材２００は、左右の各々の靴下３２０の内部又は外部に一個ずつ設けられていてもよい。
【０１６２】
（ソール部材を備えたストッキング）
単数個又は複数個のソール部材２００が、ストッキング３３０に着脱自在あるいは固定して設けられる。ストッキングには、靴下タイプのショートストッキングの他に、パンティストッキング、ガーター用のストッキングなどが含まれる。
【０１６３】
例えば、一個のソール部材２００がストッキング３３０の左右各々の足部の内部に設けられている（図２６参照）。また、一個のソール部材２００がストッキング３３０の左右各々の足部の外部に設けられている（図２７参照）。なお、複数個のソール部材２００がストッキング３３０の左右各々の足部の内部又は外部に設けられている構成でもよい。
【０１６４】
（ソール部材を備えたタイツ）
単数個又は複数個のソール部材２００が、タイツ３４０に着脱自在あるいは固定して設けられる。
【０１６５】
例えば、２個のソール部材２００がタイツ３４０の左右各々の足部の内部に設けられている（図２８参照）。また、２個のソール部材２００がタイツ３４０の左右各々の足部の外部に設けられている（図２９参照）。なお、一個のソール部材２００がタイツ３４０の左右各々の足部の内部又は外部に設けられている構成でもよい。
【０１６６】
［ソール部材の位置決め方法］
上記したソール部材の傾斜角度決定装置を用いたソール部材の傾斜角度決定方法によって傾斜角度が決定されたソール部材２００は、例えば、インソール、アウトソールあるいはカントとして、使用者に適宜設置される。
【０１６７】
ここで、上記ソール部材２００は、例えば、左右の足を旋回させて算出した中心角度（ＲＣ、ＬＣ）が異なる場合、その角度のズレをソール部材２００の傾斜角度（あるいは高さ）に変換して足底に設置する。この意味で、ソール部材２００は、左右の足を旋回させて算出した中心角度にズレが生じている場合に、前記ズレを補正するためのものである。そして、足を開き気味に歩く傾向のある人（例えば、外股の人）は、左右の足の外側が高くなり、内側が低くなるように、ソール部材２００を設置することにより、股を閉じた状態と同じような状態になる。一方、足を閉じ気味に歩く傾向のある人（例えば、内股の人）は、左右の足の外側が低くなり、内側が高くなるように、ソール部材２００を設置することにより、身体のバランスが良くなる。
【０１６８】
以上のように、本発明のソール部材２００を用いることにより、使用者の身体的な特徴に合致した最適なソール部材２００を得ることができる。これにより、足の理想的な接地角度（着地時における直進方向からの開き角度を意味する）を得ることができる。
【０１６９】
特に、本発明のソール部材２００を使用することにより、従来のソール部材で問題になっていた以下の事項について解決することができる。
（１）従来のソール部材の問題点として、歩行の際の着地時に、足に作用する力が足の外側（直進方向に対して傾斜又は直交する方向）に向くため、靴の中で足が滑ることがある。これにより、靴ずれの原因になることがある。
この点について、本発明のソール部材２００を使用することにより、歩行の際の着地時に、足に作用する力が足の外側（直進方向に対して傾斜又は直交する方向）に向くことが抑制され、靴の中で足が滑ることを防止できる。
（２）従来のソール部材の問題点として、着地時の衝撃力が身体の中心に作用せず、膝などに作用して、膝の負担が増大する。
この点について、本発明のソール部材２００を使用することにより、着地時の衝撃力が身体の中心に作用し、膝の負担を軽減することができる。
（３）従来のソール部材の問題点として、靴底に片べりが生じて、歩行の際の着地時に、足に作用する力が足の外側（直進方向に対して傾斜又は直交する方向）に向き易くなるため、足の筋肉に大きな負担が生じる。
この点について、本発明のソール部材２００を使用することにより、靴底の片べりの発生を抑制して、歩行の際の着地時に、足に作用する力が足の外側に向き難くなるため、足の筋肉の負担を軽減することができる。
（４）従来のソール部材の問題点として、ソール部材の表面の傾斜角度が使用者の歩行時の接地角度に合致していないので、足裏のこりや疲労が蓄積する。
この点について、本発明のソール部材２００を使用することにより、ソール部材２００の表面の傾斜角度が使用者の歩行時の接地角度（直進方向からの開き角度）に合致しているため、足裏のこりや疲労の発生を防止できる。
【０１７０】
また、ソール部材２００には傾斜角度の高低を示す印部２０８が設けられているため、ソール部材２００を使用するときに、ソール部材２００の高低の位置が明確になる。これにより、ソール部材２００の向きを正確に特定することができるため、正しい向きでソール部材２００を使用することができる。
【０１７１】
特に、印部２０８が穴部で構成されている場合には、ドリル等により印部２０８を容易に形成することができる。また、印部２０８を穴部で構成することにより、印部の加工が容易になるとともに、ソール部材２００が軽量になり使用者の負担を軽減することが可能になる。
【０１７２】
また、履物３００には使用者の身体的な特徴に合致した最適なソール部材２００が設けられているため、履物３００をはくことにより、上述した動作時に身体に作用する様々な負担を軽減することができる。  
【０１７３】
また、靴下３２０には使用者の身体的な特徴に合致した最適なソール部材２００が設けられているため、靴下３２０をはくことにより、上述した動作時に身体に作用する様々な負担を軽減することができる。
【０１７４】
また、ストッキング３３０（ショートストッキングやパンティストッキングなど）には使用者の身体的な特徴に合致した最適なソール部材２００が設けられているため、ストッキング３３０をはくことにより、上述した動作時に身体に作用する様々な負担を軽減することができる。  
【０１７５】
また、タイツ３４０には使用者の身体的な特徴に合致した最適なソール部材２００が設けられているため、タイツ２４０をはくことにより、上述した動作時に身体に作用する様々な負担を軽減することができる。  
【０１７６】
［ソール部材の応用例］
次に、上記ソール部材を用いた応用例について説明する。
スノーボードのように進行方向に対して身体正面が直交する方向又は傾斜する方向を向くようなスポーツに用いることも可能である。例えば、スノーボードでは、ボードのエッジ部分に力（例えば、使用者の体重）を作用させて方向転換することになるが、当該エッジ部分に作用させる力が大きければ大きいほど、鋭く方向転換することが可能になる。このため、ボードのエッジ部分に如何にして大きな力を効率良く作用させるかが問題となる。
【０１７７】
上記問題点を解決するため、本発明のソール部材２００を用いることができる。具体的には、足形状のソール部材２００を用い、このソール部材２００をスノーボードのブーツに挿入して使用する。ブーツのボード上の位置は、図４の各工程により決定されたスタンスに基づいて決定される。例えば、図１３〜図１５に示すスタンスで、ブーツがボードに取り付けられる。
【０１７８】
このとき、図４の各工程により決定されたスタンスでは、ブーツの長手方向がボードのエッジ部分のエッジ方向に対して直交する方向にならないことがある。すなわち、使用者の足の長手方向がエッジ部分のエッジ方向に対して傾斜している状態になる。このため、ボードのエッジ部分に効率良く力（体重）を付与することができない問題がある。
【０１７９】
そこで、図３０に示すように、本発明のソール部材２００を足形状に形成して、その表面または裏面に、突起部３５０を設ける。この突起部３５０は、その軸方向がボード３６０のエッジ部分３６２のエッジ方向（図３０矢印Ｔ方向）に対して平行になるように設置する。
【０１８０】
例えば、突起部３５０は、つま先側と、かかと側と、にそれぞれ設ける。つま先側の突起部３５０Ａ、使用者の足の指の真下に位置するように設定する。かかと側の突起部３５０Ｂは、使用者の足の踵骨の真下に位置するように設定する。また、つま先側の突起部３５０Ａは、その軸方向がつま先側のエッジ部分３６２Ａに対して平行になるように設ける。また、かかと側の突起部３５０Ｂは、その軸方向がかかと側のエッジ部分３６２Ｂに対して平行になるように設ける。
【０１８１】
上記突起部３５０を備えたソール部材２００を使用することにより、身体特徴の相違にかかわらず、ボード３６０の両サイドのエッジ部分に力（体重）を効率良く作用させることができる。この結果、スノーボードの競技において有効になる。
【符号の説明】
【０１８２】
１０      スタンス決定システム
１６Ｒ    回転部材
１６Ｌ    回転部材
２２      ポテンションメータ（旋回角度検出手段）
３４Ａ    ＣＰＵ（制御手段）
１００    ソール部材の傾斜角度決定装置
２００    ソール部材
２０８    印部
３００    履物  
３２０    靴下
３３０    ストッキング
３４０    タイツ
【図１】
2013247978.tif 000003
【図２】
2013247978.tif 000004
【図３】
2013247978.tif 000005
【図４】
2013247978.tif 000006
【図５】
2013247978.tif 000007
【図６】
2013247978.tif 000008
【図７】
2013247978.tif 000009
【図８】
2013247978.tif 000010
【図９】
2013247978.tif 000011
【図１０】
2013247978.tif 000012
【図１１】
2013247978.tif 000013
【図１２】
2013247978.tif 000014
【図１３】
2013247978.tif 000015
【図１４】
2013247978.tif 000016
【図１５】
2013247978.tif 000017
【図１６】
2013247978.tif 000018
【図１７】
2013247978.tif 000019
【図１８】
2013247978.tif 000020
【図１９】
2013247978.tif 000021
【図２０】
2013247978.tif 000022
【図２１】
2013247978.tif 000023
【図２２】
2013247978.tif 000024
【図２３】
2013247978.tif 000025
【図２４】
2013247978.tif 000026
【図２５】
2013247978.tif 000027
【図２６】
2013247978.tif 000028
【図２７】
2013247978.tif 000029
【図２８】
2013247978.tif 000030
【図２９】
2013247978.tif 000031
【図３０】
2013247978.tif 000032